(57)【要約】【課題】新設枠体の枠材相互のビス止めによる枠組み作業を不要とし、新設枠体の開口幅も大きくすることのできる改装サッシ及びサッシの改装方法を提供する。【解決手段】建物開口部に取付けられている既設枠体１の内周面を覆うように取付けられる新設枠体２を有し、既設枠体１の四隅内周面と新設枠体２を構成する枠材との間にコーナー部品３０が配設され、コーナー部品３０は既設枠体１の内周面に当接し、新設枠体２を構成する各枠材は、両端部がコーナー部品３０に対して当接すると共に、それぞれ既設枠体１を構成する各枠材に対して固定される。【選択図】図３
2012117238.tif 000002
【特許請求の範囲】
【請求項１】
建物開口部に取付けられている既設枠体の内周面を覆うように取付けられる新設枠体を有してなる改装サッシにおいて、
前記既設枠体の四隅内周面と前記新設枠体を構成する枠材との間にコーナー部品が配設され、該コーナー部品は前記既設枠体の内周面に当接し、前記新設枠体を構成する各枠材は、両端部が前記コーナー部品に対して当接すると共に、それぞれ前記既設枠体を構成する各枠材に対して固定されることを特徴とする改装サッシ。
【請求項２】
前記コーナー部品は前記新設枠体を構成する枠材の端面が当接する当接面部を有することを特徴とする請求項１記載の改装サッシ。
【請求項３】
前記当接面部は前記既設枠体との間にシール材が配設されることを特徴とする請求項２記載の改装サッシ。
【請求項４】
前記コーナー部品は、前記既設枠体を構成する既設横枠に当接する横当接部と、前記既設枠体を構成する既設縦枠に当接する縦当接部とを有し、前記横当接部と縦当接部の少なくとも一方は前記既設枠体に対して固定されることを特徴とする請求項１〜３のいずれか１項に記載の改装サッシ。
【請求項５】
建物開口部に取付けられている既設枠体の内周面を覆うように新設横枠と新設縦枠からなる新設枠体を取付けるサッシの改装方法において、
前記既設枠体の四隅内周面にコーナー部品を取付け、前記新設横枠の両端面をそれぞれ前記コーナー部品に突き当てると共に、前記新設横枠の両端部外周面をそれぞれ前記コーナー部品に当接させ、前記新設縦枠を前記新設横枠の内周面に突き当てると共に、前記新設縦枠の両端部外周面をそれぞれ前記コーナー部品に当接させ、前記新設縦枠と前記新設横枠のうち少なくとも上辺の新設横枠とを前記既設枠体に対して内周面側からビス止め固定することを特徴とするサッシの改装方法。
【発明の詳細な説明】
【技術分野】
【０００１】
本発明は、建物開口部に設けられた既設枠体の内周側に新設枠体を取付けてなる改装サッシ及びサッシの改装方法に関し、特に新設枠体の開口が既設枠体の開口よりできるだけ小さくならないように構成した改装サッシ及びサッシの改装方法に関する。
【背景技術】
【０００２】
従来、サッシを改装する方法としては、大きく分けて２つの手段がある。一つは、サッシを取替える際に、建物駆体の開口部に固定された既存のサッシ枠体を取り外し、新しいサッシ枠体を取付けるものである。もう一つは、建物駆体の開口部に固定された既存のサッシ枠体をそのままにして、これに対し新しいサッシ枠体を取付けるものである。
【０００３】
前者の手段においては、サッシ枠体における開口幅を改装の前後で同じとすることができるが、取替時に建物駆体を傷つけることとなり、また工期やコストも多くかかる。後者の手段によれば、工期やコストを抑えることができる。このように、既設枠体に対して新設枠体を取付ける改装サッシとしては、例えば特許文献１に挙げるようなものがある。
【先行技術文献】
【特許文献】
【０００４】
【特許文献１】特開２００２−３７１７５５号公報
【発明の概要】
【発明が解決しようとする課題】
【０００５】
既設枠体の内周側に新設枠体を取付ける改装サッシの場合、新設枠体の開口幅が改装前よりも小さくなってしまうという問題があった。新設枠体は、四周枠組みされた状態で工場から出荷され、現場での取付作業がなされるため、新設枠体を構成する枠材には、突き当てられる枠材との固定をなすためのビスホールが長手方向に沿って形成されている。枠材の連結強度確保のため、ビスホールの配置や数には制約があり、これによって枠材の断面形状を自由に設定することが難しく、新設枠体の開口幅を十分に大きくすることが困難であった。
【０００６】
また、新設枠体を四周枠組みした状態で現場まで運搬するため、運搬性や施工性が良好とは言えなかった。現場で新設枠体を枠組みするとしても、作業が繁雑となり、施工効率を悪化させることともなる。このため、枠材を予め枠組みすることなく既設枠体に対してそれぞれ固定することも考えられるが、既設枠体と新設枠体の間の気密性確保や固定強度を大きくするための構成が大掛かりとなっていた。
【０００７】
本発明は前記課題を鑑みてなされたものであり、簡易な構成により新設枠体の枠材相互のビス止めによる枠組み作業を不要とし、新設枠体の開口幅も大きくすることのできる改装サッシ及びサッシの改装方法を提供することを目的とする。
【課題を解決するための手段】
【０００８】
前記課題を解決するため、本発明に係る改装サッシは、建物開口部に取付けられている既設枠体の内周面を覆うように取付けられる新設枠体を有してなる改装サッシにおいて、
前記既設枠体の四隅内周面と前記新設枠体を構成する枠材との間にコーナー部品が配設され、該コーナー部品は前記既設枠体の内周面に当接し、前記新設枠体を構成する各枠材は、両端部が前記コーナー部品に対して当接すると共に、それぞれ前記既設枠体を構成する各枠材に対して固定されることを特徴として構成されている。
【０００９】
また、本発明に係る改装サッシは、前記コーナー部品は前記新設枠体を構成する枠材の端面が当接する当接面部を有することを特徴として構成されている。
【００１０】
さらに、本発明に係る改装サッシは、前記当接面部は前記既設枠体との間にシール材が配設されることを特徴として構成されている。
【００１１】
さらにまた、本発明に係る改装サッシは、前記コーナー部品は、前記既設枠体を構成する既設横枠に当接する横当接部と、前記既設枠体を構成する既設縦枠に当接する縦当接部とを有し、前記横当接部と縦当接部の少なくとも一方は前記既設枠体に対して固定されることを特徴として構成されている。
【００１２】
そして、本発明に係るサッシの改装方法は、建物開口部に取付けられている既設枠体の内周面を覆うように新設横枠と新設縦枠からなる新設枠体を取付けるサッシの改装方法において、
前記既設枠体の四隅内周面にコーナー部品を取付け、前記新設横枠の両端面をそれぞれ前記コーナー部品に突き当てると共に、前記新設横枠の両端部外周面をそれぞれ前記コーナー部品に当接させ、前記新設縦枠を前記新設横枠の内周面に突き当てると共に、前記新設縦枠の両端部外周面をそれぞれ前記コーナー部品に当接させ、前記新設縦枠と前記新設横枠のうち少なくとも上辺の新設横枠とを前記既設枠体に対して内周面側からビス止め固定することを特徴として構成されている。
【発明の効果】
【００１３】
本発明に係る改装サッシによれば、既設枠体の四隅内周面と新設枠体を構成する枠材との間にコーナー部品が配設され、コーナー部品は既設枠体の内周面に当接し、新設枠体を構成する各枠材は、両端部がコーナー部品に対して当接すると共に、それぞれ既設枠体を構成する各枠材に対して固定されることにより、既設枠体に当接するコーナー部品に対し新設枠体の各枠材両端部が当接して既設枠体に対し固定されるので、簡易なコーナー部品を設けるだけで、新設枠体と既設枠体の間のコーナー部における気密性を確保できると共に、両者を確実に固定でき、新設枠体の枠材相互のビス止めによる枠組み作業を不要とし、枠材の形状も自由に設計できるので、新設枠体の開口幅も大きくすることができる。
【００１４】
また、本発明に係る改装サッシによれば、コーナー部品は新設枠体を構成する枠材の端面が当接する当接面部を有することにより、新設枠体と既設枠体の間の気密性を確保することができる。
【００１５】
さらに、本発明に係る改装サッシによれば、当接面部は既設枠体との間にシール材が配設されることにより、新設枠体と既設枠体の間の気密性を向上させることができる。
【００１６】
さらにまた、本発明に係る改装サッシによれば、コーナー部品は、既設枠体を構成する既設横枠に当接する横当接部と、既設枠体を構成する既設縦枠に当接する縦当接部とを有し、横当接部と縦当接部の少なくとも一方は既設枠体に対して固定されることにより、コーナー部品の固定強度を大きくして、新設枠体についても剛性を大きくすることができる。
【００１７】
そして、本発明に係るサッシの改装方法によれば、簡易なコーナー部品を設けるだけで、新設枠体と既設枠体の間のコーナー部における気密性を確保できると共に、両者を確実に固定でき、新設枠体の枠材相互のビス止めによる枠組み作業を不要とし、枠材の形状も自由に設計できるので、新設枠体の開口幅も大きくすることができる。
【図面の簡単な説明】
【００１８】
【図１】第１の実施形態における改装サッシの縦断面図である。
【図２】第１の実施形態における改装サッシの横断面図である。
【図３】既設枠体及び新設枠体の正面図である。
【図４】上コーナー部品の二方向から見た斜視図である。
【図５】下コーナー部品の二方向から見た斜視図である。
【図６】既設枠体に対して上コーナー部品を取付けた状態の斜視図である。
【図７】既設枠体に対して新設上枠を取付けた状態の斜視図である。
【図８】既設枠体に対して下コーナー部品を取付けた状態の斜視図である。
【図９】既設枠体に対して新設下枠を取付けた状態の斜視図である。
【図１０】既設上枠と既設下枠の切欠部分を表した断面図である。
【図１１】既設縦枠の切欠部分を表した断面図である。
【図１２】既設枠体に対して新設縦枠を取付けた状態の斜視図である。
【図１３】第２の実施形態における改装サッシの縦断面図である。
【図１４】第２の実施形態における改装サッシの横断面図である。
【発明を実施するための形態】
【００１９】
本発明の実施形態について図面に沿って詳細に説明する。図１には第１の実施形態における改装サッシの縦断面図を、図２には第１の実施形態における改装サッシの横断面図を、それぞれ示している。これら各図に示すように、本実施形態における改装サッシは、建物開口部に取付けられている既設枠体１の内周側に新設枠体２を取付けて構成され、新設枠体２には図示しないが内外の障子が引き違い状に納められる。既設枠体１の室内側には、四周に渡って額縁材３が配設されている。
【００２０】
既設枠体１は、横枠である既設上枠１０及び既設下枠１１と、縦枠である左右の既設縦枠１２、１２を方形状に枠組みしてなるものである。既設上枠１０は、建物開口部の内周面と対向する内周面部１０ａを備え、内周面部１０ａは、室外端部に室外面部１０ｂを、室内端部に室内面部１０ｄを有し、室内面部１０ｄからは室内側に伸びる室内延出部１０ｅが形成されている。室内延出部１０ｅは、額縁材３の内周面に当接している。
【００２１】
既設下枠１１は、建物開口部の内周面と対向する内周面部１１ａを備え、内周面部１１ａは、室内側寄りに内レール部１１ｄを、室内端部に室内面部１１ｅを有し、室内面部１１ｅからは室内側に伸びる室内延出部１１ｆが形成されている。室内延出部１１ｆは、額縁材３の内周面に当接している。
【００２２】
既設縦枠１２は、建物開口部の内周面と対向する内周面部１２ａを備え、内周面部１２ａは、室外端部に室外面部１２ｂを、室内端部に室内面部１２ｅを有し、室内面部１２ｅからは室内側に伸びる室内延出部１２ｆが形成されている。室内延出部１２ｆは、額縁材３の内周面に当接している。
【００２３】
新設枠体２は、横枠である新設上枠２０及び新設下枠２１と、縦枠である左右の新設縦枠２２、２２を方形状に配置してなるものであり、既設枠体１の内周面を覆うように取付けられるものである。新設枠体２を構成する枠材である新設上枠２０と新設下枠２１及び新設縦枠２２は、それぞれ枠材の状態で現場に運搬され、既設枠体１に対して取付けられる。その取付構造及び工程については後述する。
【００２４】
新設上枠２０は、既設上枠１０の内周面部１０ａを覆うように対向する内周面部２０ａを備え、内周面部２０ａは、室外端部に室外面部２０ｂと、室内端部に室内面部２０ｅを有し、室外面部２０ｂと室内面部２０ｅの間には、外案内フィン２０ｃと中間面部２０ｄとを有している。
【００２５】
外案内フィン２０ｃは、新設枠体２内に納められる外障子の上辺を長手方向に案内する。中間面部２０ｄは、先端部に気密材２０ｇを有し、新設枠体２内に納められる外障子の室内側面と対向して気密材２０ｇが当接する。また、新設枠体２内に納められる内障子は、中間面部２０ｄと室内面部２０ｅ及び内周面部２０ａにより形成される凹状部によって案内される。新設上枠２０は、中間面部２０ｄと室内面部２０ｅの間の内周面部２０ａにおいて、既設上枠１０に対し内周側からビス止め固定される。
【００２６】
新設上枠２０の室外面部２０ｂと外案内フィン２０ｃ、中間面部２０ｄ及び室内面部２０ｅは、先端位置がいずれも既設上枠１０の室内面部１０ｄの先端位置と略同位置となるように形成されている。すなわち、新設上枠２０は既設上枠１０よりも内周側に突出しないようにされているので、新設上枠２０によりサッシの開口を狭めることがないようにすることができる。
【００２７】
新設上枠２０の内周面部２０ａは、既設上枠１０の内周面部１０ａと対向する面に突起状の当接片２０ｆを複数有している。当接片２０ｆは、それぞれ既設上枠１０の内周面部１０ａに当接するようになっており、新設上枠２０を既設上枠１０に対し安定的に固定することができる。
【００２８】
新設下枠２１は、既設下枠１１の内周面部１１ａを覆うように対向し階段状をなすように形成される内周面部２１ａを備え、内周面部２１ａは、上面に外レール部２１ｂと内レール部２１ｃを有すると共に、室内端部に室内面部２１ｄを有している。外レール部２１ｂと内レール部２１ｃは、それぞれ新設枠体２に納められる外障子と内障子を案内する。
【００２９】
新設下枠２１の室外端部には、上方に向かって突出する室外突部２１ｇが形成されると共に、下方に向かって垂下される垂下片２１ｈが形成されている。室外突部２１ｇは、新設上枠２０の室外面部２０ｂとで網戸を案内するレールとなる。垂下片２１ｈは、新設枠体２の下端部で既設下枠１１の下端部と対向し、ビス止めによる固定がなされる。
【００３０】
新設下枠２１において内周側に最も突出しているのは、内レール部２１ｃと室内面部２１ｄの各先端部であり、これらは既設下枠１１の室内面部１１ｅの先端及び室内延出部１１ｆの位置と略同位置となるように形成されている。すなわち、新設下枠２１も新設上枠２０と同様、既設下枠１１よりも内周側に突出しないようにされているので、新設下枠２１によりサッシの開口を狭めることがないようにすることができる。
【００３１】
新設下枠２１の内周面部２１ａは、新設上枠２０と同様、外レール部２１ｂ付近に当接片２１ｅを有する一方、内レール部２１ｃ付近には、既設下枠１１の内レール部１１ｄに対して係合する内レール係合部２１ｆを有している。これらによって、新設下枠２１は既設下枠１１に対して当接及び係合する。
【００３２】
新設縦枠２２は、左右で形状が異なっている。左右いずれの新設縦枠２２も、既設縦枠１２の内周面部１２ａを覆うように対向する内周面部２２ａを備え、内周面部２２ａは、室外端部に室外面部２２ｂを、室内端部に室内面部２２ｆを有している。また、内周面部２２ａの室内外中間位置には、それぞれ中間片２２ｅが形成されている。
【００３３】
外障子が配置される側である図中左側の新設縦枠２２は、室外面部２２ｂと中間片２２ｅの間に室外フィン部２２ｃが形成されており、これが外障子の側面部によって飲み込まれる。一方、内障子が配置される側である図中右側の新設縦枠２２は、中間片２２ｅと室内面部２２ｆの間に室内フィン部２２ｄが形成されており、これが内障子の側面部によって飲み込まれる。
【００３４】
外障子が配置される側の新設縦枠２２は、中間片２２ｅと室内面部２２ｆの間の内周面部２２ａにおいて、既設縦枠１２に対して内周側からビス止め固定される。内障子が配置される側の新設縦枠２２は、室外面部２２ｂと中間片２２ｅの間の内周面部２２ａにおいて、既設縦枠１２に対して内周側からビス止め固定される。
【００３５】
新設縦枠２２は、内周側に最も突出する室内面部２２ｆ及び室外面部２２ｂの先端位置が、既設縦枠１２の室内面部１２ｅの先端よりも若干内周側に配置される。すなわち、新設縦枠２２は、既設縦枠１２よりも開口幅を若干狭くすることとなるが、その幅は僅かであり、サッシ開口の大きさにあまり影響を与えないようにしている。
【００３６】
新設縦枠２２の内周面部２２ａは、既設縦枠１２と対向する面に複数の当接片２２ｇを備え、これらが既設縦枠１２の内周面部１２ａに当接して、安定的な固定をなすようにしている。
【００３７】
次に、既設枠体１に対する新設枠体２の取付構造について詳細に説明する。図３には、既設枠体１及び新設枠体２の正面図を示している。既設枠体１の四隅内周面には、新設枠体２との間に挟まれるように、コーナー部品３０がそれぞれ設けられる。コーナー部品３０は、既設枠体１と新設枠体２の間の気密性を確保すると共に、両者を強固に固定するために設けられる。特に、新設枠体２は枠材同士が連結されない構造となっているため、コーナー部品３０によってコーナー部分における気密性確保が必要となっている。
【００３８】
コーナー部品３０は、既設上枠１０と既設縦枠１２により形成される隅部に設けられる２つは、上コーナー部品３１であり、既設下枠１１と既設縦枠１２により形成される隅部に設けられる２つは、下コーナー部品３２であり、これらは形状が異なっている。図４には上コーナー部品３１の二方向から見た斜視図を、図５には下コーナー部品３２の二方向から見た斜視図を、それぞれ示している。
【００３９】
図４（ａ）と図４（ｂ）に示すように、上コーナー部品３１は、既設上枠１０の内周面部１０ａに対して当接する横当接部３１ａと、既設縦枠１２の内周面部１２ａに対して当接する縦当接部３１ｂとが、略Ｌ字状をなすように形成されている。図４（ａ）に示すように、縦当接部３１ｂは、内周側が平面状に形成されており、新設上枠２０の端面及び新設縦枠２２の外周面が当接可能となるようにされている。また、横当接部３１ａも、新設上枠２０の端部外周面が当接可能となるように形成されている。
【００４０】
図４（ｂ）に示すように、上コーナー部品３１の外周側には、横当接部３１ａから縦当接部３１ｂに渡るように、シール部材３１ｃが設けられている。シール部材３１ｃは、横当接部３１ａと既設上枠１０の間及び縦当接部３１ｂと既設縦枠１２の間の気密性を確保する。新設上枠２０の端面が当接する縦当接部３１ｂの内周側にも、図示しないがシール部材を設けてもよい。
【００４１】
図５（ａ）と図５（ｂ）に示すように、下コーナー部品３２は、既設下枠１１の内周面部１１ａに対して当接する横当接部３２ａが、既設縦枠１２の内周面部１２ａに対して当接する縦当接部３２ｂから突出するように形成されている。図５（ａ）に示すように、縦当接部３２ｂは、内周側が平面状に形成されており、新設下枠２１の端面及び新設縦枠２２の外周面が当接可能となるようにされている。また、横当接部３１ａは、上面が新設下枠２１の内周面部２１ａの形状に合わせて傾斜状となるように形成されており、新設下枠２１の外周面が当接可能となるようにされている。
【００４２】
図５（ｂ）に示すように、下コーナー部品３２の外周側には、シール部材３２ｃが設けられている。この図では、縦当接部３２ｂ側のみが表れているが、シール部材３２ｃは縦当接部３２ｂから横当接部３１ａに渡るように設けられる。また、新設下枠２１の端面が当接する縦当接部３２ｂの内周側にも、図示しないがシール部材を設けてもよい。
【００４３】
図６には、既設枠体１に対して上コーナー部品３１を取付けた状態の斜視図を示している。この図に示すように、上コーナー部品３１は、既設枠体１の既設上枠１０と既設縦枠１２により形成される隅部コーナー部分に取付けられる。横当接部３１ａと縦当接部３１ｂは、それぞれ既設上枠１０と既設縦枠１２に対して当接して、シール部材３１ｃによりこれらとの間の気密がなされる。また、横当接部３１ａと縦当接部３１ｂには、それぞれビス孔が形成されているから、ここでそれぞれ既設上枠１０及び既設下枠１１に対してビス止め固定がなされる。
【００４４】
図７には、既設枠体１に対して新設上枠２０を取付けた状態の斜視図を示している。この図に示すように、新設上枠２０の端面は、上コーナー部品３１の縦当接部３１ｂに対して突き当てられており、既設縦枠１２との間の気密性確保をなしている。また、新設上枠２０の端部外周面は、上コーナー部品３１の横当接部３１ａに対して当接する。
【００４５】
図８には、既設枠体１に対して下コーナー部品３２を取付けた状態の斜視図を示している。この図に示すように、下コーナー部品３２は、既設枠体１の既設下枠１１と既設縦枠１２により形成される隅部コーナー部分に取付けられる。横当接部３２ａと縦当接部３２ｂは、それぞれ既設下枠１１と既設縦枠１２に対して当接して、シール部材３２ｃによりこれらとの間の気密がなされる。
【００４６】
図９には、既設枠体１に対して新設下枠２１を取付けた状態の斜視図を示している。この図に示すように、新設下枠２１の端面は、下コーナー部品３２の縦当接部３２ｂに対して突き当てられており、既設縦枠１２との間の気密性確保をなしている。また、新設下枠２１の端部外周面は、下コーナー部品３２の横当接部３２ａに対して当接する。
【００４７】
新設枠体２の取付にあたっては、まず既設枠体１の一部を切欠加工する必要がある。図１０には既設上枠１０と既設下枠１１の切欠部分を表した断面図を、図１１には既設縦枠１２の切欠部分を表した断面図を、それぞれ示している。これらの図において、ハッチングの部分が切り欠かれる部分である。
【００４８】
図１０に示すように、既設上枠１０には、先に説明した構成以外に室外面部１０ｂ及び中間面部１０ｃを内周面部１０ａに有している。これらは、根元付近からそれぞれ切り欠かれる。また、既設下枠１１には、先に説明した構成以外に外レール部１１ｃを内周面部１１ａに有すると共に、室外端部には網戸を案内するための室外突部１１ｂが形成されている。これらも、根元付近からそれぞれ切り欠かれる。
【００４９】
図１１に示すように、外障子が配置される側となる図中左側の既設縦枠１２には、先に説明した構成以外に室外面部１２ｂと室外フィン部１２ｃを内周面部１２ａに有している。また、内障子が配置される側となる図中右側の既設縦枠１２には、先に説明した構成以外に室外面部１２ｂと室内フィン部１２ｄを内周面部１２ａに有している。これらも、根元付近からそれぞれ切り欠かれる。
【００５０】
既設枠体１の一部を切り欠いたら、既設枠体１に対して図６や図８のように上コーナー部品３１及び下コーナー部品３２を取付け、新設上枠２０を左右の上コーナー部品３１間に、新設下枠２１を左右の下コーナー部品３２間に、それぞれ配置する。このようにして新設上枠２０及び新設下枠２１の各端面を、それぞれ上コーナー部品３１と下コーナー部品３２に突き当てる。これにより、新設上枠２０と新設下枠２１は、両端部においてそれぞれ端面と外周面がコーナー部品３０に対し当接する。この状態で、新設縦枠２２を新設上枠２０と新設下枠２１間に配置する。
【００５１】
図１２には、既設枠体１に対して新設縦枠２２を取付けた状態の斜視図を示している。この図に示すように、新設縦枠２２は、新設上枠２０と新設下枠２１間を渡すように取付けられる。このとき、新設縦枠２２の両端部外周面は、それぞれ上コーナー部品３１の縦当接部３１ｂと下コーナー部品３２の縦当接部３１ｂに対して当接する。このように新設枠体２の各枠材を既設枠体１に対して取付けた状態で、新設上枠２０と新設縦枠２２については内周面側からそれぞれ既設上枠１０と既設縦枠１２に対してビス止め固定がなされる。新設下枠２１については、内周面側からの固定はなされないが、下端の垂下片２１ｈから既設下枠１１に対してビス止めがなされる。
【００５２】
このように、既設枠体１の四隅内周面にそれぞれコーナー部品３０が配設され、新設枠体２を構成する各枠材は両端部がそれぞれコーナー部品３０に当接して、それぞれ既設枠体１に対し固定されるから、簡易な構成からなるコーナー部品３０によって、新設枠体２のコーナー部分における気密性を確保できると共に、新設枠体２の各枠材の既設枠体１に対する固定強度を大きくすることができる。そして、新設枠体２は予め枠組みされるのではなく、既設枠体１にコーナー部品３０が設けられた上で、枠材ごとに既設枠体１に対して取付けられるように構成されているので、新設枠体２を枠材の状態で工場から現場に運搬することができ、運搬効率を向上させることができる。また、新設枠体２を枠組みするためのビスホール等を設ける必要がないため、新設枠体２の断面形状の設計自由度が大きく、新設枠体２ができるだけ既設枠体１よりも内周側に突出しないように設計することができるので、サッシの開口幅をできるだけ狭めることのないようにすることができる。
【００５３】
次に、本発明の第２の実施形態について説明する。図１３には第２の実施形態における改装サッシの縦断面図を、図１４には第２の実施形態における改装サッシの横断面図を、それぞれ示している。本実施形態の既設枠体１は、第１の実施形態の既設枠体１と同じものであり、新設枠体２も新設上枠２０と新設縦枠２２については第１の実施形態と同じである。一方、本実施形態の新設下枠２１は第１の実施形態の新設下枠２１と異なり、上面位置が室内外に渡り略面一状となるようにしている。すなわち、本実施形態の改装サッシは、下枠フラットサッシとして構成されている。
【００５４】
新設枠体２において新設上枠２０と新設縦枠２２については第１の実施形態と同様の構成からなるので、説明は省略する。新設下枠２１は、既設下枠１１の内周面部１１ａと対向してこれを覆う内周面部２１ａを備え、内周面部２１ａには、外内にそれぞれ凹状の外係止部２１ｉと内係止部２１ｊが形成されている。外係止部２１ｉには外レール部材２３が係合され、内係止部２１ｊには内レール部材２４が係合される。
【００５５】
外レール部材２３は、下部が外係止部２１ｉに対して係合自在な係合部２３ａであり、上面には外障子を案内する凸状のレール部２３ｂが形成されている。内レール部材２４も、下部が内係止部２１ｊに対して係合自在な係合部２４ａであり、上面には内障子を案内する凸状のレール部２４ｂが形成されている。これら外レール部材２３と内レール部材２４の上面位置は、既設下枠１１の室内延出部１１ｆと略同位置となっている。
【００５６】
このような下枠フラットサッシにおいて、既設枠体１の四隅部にはそれぞれコーナー部品３０が設けられる。図１３及び図１４においてコーナー部品３０は破線で表されている。上コーナー部品３１については、第１の実施形態と同じものが用いられる。下コーナー部品３２は、本実施形態の新設下枠２１の端面形状に適合するように形成されており、新設下枠２１の両端面はそれぞれ下コーナー部品３２の縦当接部３２ｂに当接する。
【００５７】
このように、下枠フラットサッシの構成においても、既設枠体１の四隅部にコーナー部品３０を配設し、新設枠体２を構成する各枠材をそれぞれ既設枠体１に対して固定する本発明の構成を採用することができる。
【００５８】
以上、本発明の実施形態について説明したが、本発明の適用は本実施形態には限られず、その技術的思想の範囲内において様々に適用されうるものである。
【符号の説明】
【００５９】
１    既設枠体
２    新設枠体
３    額縁材
１０    既設上枠
１１    既設下枠
１２    既設縦枠
２０    新設上枠
２１    新設下枠
２２    新設縦枠
３０    コーナー部品
３１    上コーナー部品
３１ａ  横当接部
３１ｂ  縦当接部
３１ｃ  シール材
３２    下コーナー部品
３２ａ  横当接部
３２ｂ  縦当接部
３２ｃ  シール材
【図１】
2012117238.tif 000003
【図２】
2012117238.tif 000004
【図３】
2012117238.tif 000005
【図４】
2012117238.tif 000006
【図５】
2012117238.tif 000007
【図６】
2012117238.tif 000008
【図７】
2012117238.tif 000009
【図８】
2012117238.tif 000010
【図９】
2012117238.tif 000011
【図１０】
2012117238.tif 000012
【図１１】
2012117238.tif 000013
【図１２】
2012117238.tif 000014
【図１３】
2012117238.tif 000015
【図１４】
2012117238.tif 000016